(57)【要約】【課題】売上金の回収を容易化できる売上金回収システムを提供する。【解決手段】売上金が納金される納金機２１と、納金機２１に装填されて納金機２１に納金された売上金を収納するカセット２２とを有し、カセット２２は、カセット２２の所有扱いが顧客専用か否かに係る情報を含む記憶データを記憶したＩＣタグ２８を備え、納金機２１は、装填されたカセット２２のＩＣタグ２８から記憶データを読み出す納金機ＩＣタグリーダ３１を備え、納金機ＩＣタグリーダ３１で読み出した記憶データからカセット２２の所有扱いが顧客専用であった場合に、当該記憶データに含まれる顧客識別データと、当該納金機２１に記憶されている顧客識別データとが、一致の場合は適正装填と判定し、不一致の場合は誤装填と判定する。【選択図】図１
2020109696.tif 000002
【特許請求の範囲】
【請求項１】
売上金が納金される納金機と、
納金機に装填されて該納金機に納金された売上金を収納するカセットとを有し、
カセットは、
当該カセットの所有扱いが顧客専用か共用扱いかに係る情報を含む記憶データを記憶したＩＣタグを備え、
納金機は、
装填されたカセットのＩＣタグから記憶データを読み出す納金機ＩＣタグリーダを備え、
納金機ＩＣタグリーダで読み出した記憶データからカセットの所有扱いが顧客専用であった場合に、当該記憶データに含まれる顧客識別データと、当該納金機に記憶されている顧客識別データとが、一致の場合は適正装填と判定し、不一致の場合は誤装填と判定することを特徴とする売上金回収システム。
【請求項２】
前記納金機は、
前記納金機ＩＣタグリーダで読み出した記憶データからカセットの所有扱いが顧客専用では無く共用扱いであった場合に、適正装填と判定することを特徴とする請求項１記載の売上金回収システム。
【発明の詳細な説明】
【技術分野】
【０００１】
本発明は、売上金回収システムに関する。
【背景技術】
【０００２】
店舗の売上金の回収を委託された警備会社等の回収員が、袋等に収納された売上金とその貨幣内訳を記載した貨幣内訳明細票を何店舗も訪ねて回収し回り、所定の現金センタへ運び入れる従来技術が知られている（例えば、特許文献１（「０００２」〜「０００５」段落）参照）。そして、現金センタにおいては、運び込まれた店舗毎の売上金を操作員が精査機で計数すると共に、当該貨幣内訳明細票に記載された貨幣内訳との一致を確認する作業を行っている。
【先行技術文献】
【特許文献】
【０００３】
【特許文献１】特開平０６−２６６９６４号公報
【発明の概要】
【発明が解決しようとする課題】
【０００４】
売上金の回収を容易化できる売上金回収システムが求められている。
【０００５】
したがって、本発明は、売上金の回収を容易化できる売上金回収システムの提供を目的とする。
【課題を解決するための手段】
【０００６】
上記目的を達成するために、本発明に係る第１の態様は、売上金が納金される納金機と、納金機に装填されて該納金機に納金された売上金を収納するカセットとを有し、カセットは、当該カセットの所有扱いが顧客専用か共用扱いかに係る情報を含む記憶データを記憶したＩＣタグを備え、納金機は、装填されたカセットのＩＣタグから記憶データを読み出す納金機ＩＣタグリーダを備え、納金機ＩＣタグリーダで読み出した記憶データからカセットの所有扱いが顧客専用であった場合に、当該記憶データに含まれる顧客識別データと、当該納金機に記憶されている顧客識別データとが、一致の場合は適正装填と判定し、不一致の場合は誤装填と判定することを特徴とする。
【０００７】
上記第１の態様によれば、納金機は、納金機ＩＣタグリーダが、装填されたカセットのＩＣタグから記憶データを読み出すと、この記憶データから当該カセットの所有扱いが顧客専用であった場合に、当該記憶データに含まれる顧客識別データと、当該納金機に記憶されている顧客識別データとが、一致の場合は適正装填と判定し、不一致の場合は誤装填と判定する。これにより、回収員が、納金機に対応する顧客専用の所定のカセットとは異なるカセットを納金機に誤って装填してしまってもこれを検出することができる。よって、誤装填と判定の場合、例えば、その旨の警告報知を行うことにより、回収員の誤装填を防止することができる。
【０００８】
本発明に係る第２の態様は、第１の態様において、前記納金機は、前記納金機ＩＣタグリーダで読み出した記憶データからカセットの所有扱いが顧客専用では無く共用扱いであった場合に、適正装填と判定することを特徴とする。
【発明の効果】
【０００９】
本発明によれば、売上金の回収を容易化できる売上金回収システムを提供することができる。
【図面の簡単な説明】
【００１０】
【図１】本発明に係る第１実施形態の売上金回収システムを示すブロック図である。
【図２】本発明に係る第１実施形態の売上金回収システムのＩＣタグに記憶される記憶データを示す図表である。
【図３】本発明に係る第１実施形態の売上金回収システムの納金機表示部の表示例を示す正面図である。
【図４】本発明に係る第１実施形態の売上金回収システムの納金機表示部の表示例を示す正面図である。
【図５】本発明に係る第１実施形態の売上金回収システムの回収データを示す図表である。
【図６】本発明に係る第１実施形態の売上金回収システムの精査機表示部の表示例を示す正面図である。
【図７】本発明に係る第１実施形態の売上金回収システムの精査機表示部の表示例を示す正面図である。
【図８】本発明に係る第１実施形態の売上金回収システムの精査機表示部の表示例を示す正面図である。
【図９】本発明に係る第２実施形態の売上金回収システムを示すブロック図である。
【図１０】本発明に係る第３実施形態の売上金回収システムを示すブロック図である。
【発明を実施するための形態】
【００１１】
［第１実施形態］
本発明に係る第１実施形態の売上金回収システムを図１〜図８を参照して以下に説明する。
【００１２】
第１実施形態の売上金回収システム１１は、顧客店舗Ａの売上金の回収を委託された警備会社等の回収員が、各顧客店舗Ａを訪ねて売上金を回収して回り、所定の現金センタＢへ運び入れ、現金センタＢにおいて、運び込まれた顧客店舗Ａ毎の売上金を操作員が機械計数して、現金の一致を精査確認するものである。
【００１３】
第１実施形態の売上金回収システム１１は、顧客店舗Ａに設置されて売上金が納金される納金機２１と、納金機２１に対して着脱可能であり、納金機２１に装填された状態で納金機２１に納金された売上金の貨幣を収納する複数のカセット２２とを有している。第１実施形態の売上金回収システム１１は、顧客店舗Ａとは別のデータセンタＤに設置され納金機２１および精査機２４にネットワークＣを介して通信可能に接続されるデータ蓄積機２３と、顧客店舗ＡおよびデータセンタＤとは別の現金センタＢに設置されネットワークＣを介してデータ蓄積機２３および納金機２１に通信可能に接続される精査機２４とを有している。精査機２４は、納金機２１から取り外されて顧客店舗Ａから現金センタＢに運搬されてきたカセット２２の売上金を精査する。
【００１４】
納金機２１は、売上金である貨幣が投入されると、投入された貨幣を計数し、計数後、承認操作が入力されると、計数後の貨幣を、装填されている複数のカセット２２に分類して収納する。納金機２１は、カセット２２が装填されると装填されたカセット２２のＩＣタグ２８から記憶データを読み出し可能となる納金機ＩＣタグリーダ３１と、納金機２１の計数結果である売上金の明細を紙面に印字するプリンタ３２と、操作入力を受け付ける納金機操作部３３と、モニタ表示を行う納金機表示部３４と、音声出力を行う納金機音声出力部３５と、データを記憶する納金機記憶部３６と、納金機２１全体を制御する納金機制御部３７とを有している。納金機記憶部３６には、これが設けられた納金機２１の所有者顧客を他の顧客と識別するための顧客識別データが記憶されている。
【００１５】
例えば一日に一回、店舗の責任者が納金機２１の〆操作を行うと、それまでに納金機２１に装填されていたカセット２２に収納されている貨幣つまりは売上金が確定し、当該売上金の明細がプリンタ３２で明細書として印字されるようになっている。なお、運用形態としては、これに限らず、店舗の責任者が納金機２１の〆操作を行うまでもなく、所定の時間に警備会社等の回収員が納金機操作部３３に売上金回収操作を行ったタイミングで納金機２１に装填されているカセット２２に収納された貨幣つまりは売上金が確定するようになっていても良い。そして、売上金が収納されたカセット２２を回収員が納金機２１から抜き取り、替わりに回収員が準備してきた空のカセット２２を納金機２１に装填する作業、つまりカセット２２の交換作業を行うようになっている。
【００１６】
一つの納金機２１にセットされる複数のカセット２２は、基本的には紙幣用のカセット２２と硬貨用のカセット２２との２個に分けられて構成されるものが多い。勿論、これに限らず、例えば、紙幣用のカセット２２は全金種共通の１個であって、硬貨用のカセット２２は金種別専用で６個設けられる形態でも良いし、全金種の紙幣と硬貨とが混合で１個のカセット２２のみに収納される形態であっても良い。そして、売上金回収操作は、納金機２１に設けられた、これら売上金が収納された全てのカセット２２についての交換作業が伴うようになっている。
【００１７】
カセット２２は、納金機２１から取り外されると別途のキーによるキー操作がなければ貨幣を取り出すことができない運搬用金庫となる。カセット２２は、当該カセット２２の所有扱いが顧客専用か否かに係る取扱種別データを含む記憶データを記憶したＩＣタグ２８を備えている。取扱種別データは、所有扱いが顧客専用であることを示すデータと、所有扱いが共用であることを示すデータとからなり、ＩＣタグ２８には、取扱種別データが、所有扱いが顧客専用であることを示す場合に、記憶データとして、ＩＣタグ２８が設けられたカセット２２の所有者顧客を他の顧客と識別するための顧客識別データが記憶されている。所有者顧客が同じである複数のカセット２２は、顧客識別データが一致することになり、所有者顧客が同じ納金機２１とカセット２２とは、顧客識別データが一致することになる。つまり、店舗所有のカセット２２にあっては、あらかじめ店舗情報である顧客識別データを記憶させておく。店舗非所有の共用のカセット２２にあっては、共用である情報を記憶させておく。
【００１８】
例えば、ＩＣタグ２８に記憶される記憶データは、図２に示すように、ブロック毎にデータが存在し、ブロック番号００ｈのデータエリアには、顧客の顧客識別データである契約先番号、店番号、納金機２１の号機番号、当該ＩＣタグ２８が配設されたものが本運用形態で対象となるカセット２２か、もしくは別の運用形態で対象となるバッグかの運用種別データ、当該カセット２２あるいはバッグが契約先である顧客専用の所有物であるか、もしくは例えば警備会社等の所有物であって持ち回りで共用で使用されるフリーの物であるかの取扱種別データが記憶される。
【００１９】
そして、同様に、ブロック番号０１ｈのデータエリアには、回収日と回収時刻とが、ブロック番号０２ｈには、カセット２２内の売上金である貨幣の金種明細の紙幣分のデータが、ブロック番号０３ｈにはカセット２２内の売上金である貨幣の金種明細の硬貨分のデータが、ブロック番号０４ｈにはカセット２２の回収回数のデータが、それぞれ記憶される。
【００２０】
また、これらブロック番号００ｈ〜０４ｈのデータエリアには、予め所定のＩＣタグライタによって所定のデータが書き込まれて記憶されていて、必要とする場合に上書き更新が可能となっている。さらに、これらとは別にＩＣタグ２８に記憶されるデータとして、ＩＣタグ２８自体が有する固有番号であってカセット識別データである金庫ＩＤが予め登録されていて、この金庫ＩＤについては上書き更新が不可能であり、ＩＣタグリーダでの読み出しのみ可能に設定されている。また、納金機２１においても、その納金機記憶部３６には、同様に顧客の顧客識別データである契約先番号、店番号、納金機２１の号機番号がデータとして記憶されている。
【００２１】
納金機制御部３７は、納金機２１にカセット２２が装填されると、装填されたカセット２２のＩＣタグ２８から納金機ＩＣタグリーダ３１で金庫ＩＤを読み込んで納金機記憶部３６に記憶する。
【００２２】
そして、上述したように、所定の時間に警備会社等の回収員が顧客店舗Ａを訪問して、納金機操作部３３に売上金回収操作を行う。すると、納金機制御部３７は、納金機２１の前扉（または後扉）のロックを解除して前扉（または後扉）を開放し、売上金が収納されたカセット２２を納金機２１から抜き取り可能とする。また、その際に、納金機制御部３７は、納金機表示部３４の操作画面案内によって、売上金が収納されたカセット２２つまりはカセット交換が必要なカセット２２を回収員に案内表示する。
【００２３】
そして、回収員が案内表示された、売上金が収納されたカセット２２を抜き取り、替わりに回収員が準備してきた空のカセット２２を納金機２１に装填するというカセット２２の交換作業を行うと、納金機制御部３７は、この動作をセンサで検知して、交換後に装着されたカセット２２のＩＣタグ２８に記憶されたデータを納金機ＩＣタグリーダ３１によって読み出す。つまり、納金機２１は、その納金機ＩＣタグリーダ３１が、カセット交換時に、装填されたカセット２２のＩＣタグ２８から記憶データを読み出す。
【００２４】
そして、読み出した顧客の契約先番号、店番号、納金機２１の号機番号および取扱種別についてのチェックを行う。取扱種別データが、所有扱いが共用であることを示すデータの場合、納金機制御部３７は、読み出した顧客の顧客識別データである契約先番号、店番号、納金機２１の号機番号のチェックは行わずに交換作業を正常として許諾する。すなわち、納金機２１は、カセット交換時に、装填されたカセット２２のＩＣタグ２８から納金機ＩＣタグリーダ３１で読み出した記憶データから当該カセット２２の所有扱いが顧客専用では無く共用扱いであった場合に適正装填と判定する。他方、取扱種別データが、所有扱いが顧客専用であることを示すデータの場合、納金機制御部３７は、納金機記憶部３６に記憶されている顧客の契約先番号、店番号、納金機２１の号機番号と、納金機ＩＣタグリーダ３１がカセット２２のＩＣタグ２８から読み出した記憶データの契約先番号、店番号、納金機２１の号機番号の一致確認を各々実施する。
【００２５】
より具体的には、顧客の顧客識別データである契約先番号の１項目について一致を確認する第１確認モード、顧客の契約先番号と店番号の２項目について一致を確認する第２確認モード、顧客の契約先番号と店番号と納金機２１の号機番号の全３項目について一致を確認する第３確認モードが設定されており、予めいずれの確認モードに設定するかが選択設定されていて、納金機制御部３７は、この選択設定された確認モードに対応して一致確認を実施する。
【００２６】
すなわち、第１確認モードでは、１つの確認項目として、納金機記憶部３６に記憶されている顧客の契約先番号と、納金機ＩＣタグリーダ３１がカセット２２のＩＣタグ２８から読み出した記憶データの契約先番号とのみについて一致を確認する。第２確認モードでは、２つの確認項目として、納金機記憶部３６に記憶されている顧客の契約先番号と、納金機ＩＣタグリーダ３１がカセット２２のＩＣタグ２８から読み出した記憶データの契約先番号とについて一致を確認すると共に、納金機記憶部３６に記憶されていた顧客の店番号と、納金機ＩＣタグリーダ３１がカセット２２のＩＣタグ２８から読み出した記憶データの店番号とについて一致を確認する。第３確認モードでは、３つの確認項目として、納金機記憶部３６に記憶されている顧客の契約先番号と、納金機ＩＣタグリーダ３１がカセット２２のＩＣタグ２８から読み出した記憶データの契約先番号とについて一致を確認すると共に、納金機記憶部３６に記憶されている顧客の店番号と、納金機ＩＣタグリーダ３１がカセット２２のＩＣタグ２８から読み出した記憶データの店番号とについて一致を確認し、さらに、納金機記憶部３６に記憶されている号機番号と、納金機ＩＣタグリーダ３１がカセット２２のＩＣタグ２８から読み出した記憶データの号機番号とについて一致を確認する。よって、いずれのモードにおいても、納金機制御部３７は、納金機記憶部３６に記憶されている顧客の契約先番号と、納金機ＩＣタグリーダ３１がカセット２２のＩＣタグ２８から読み出した記憶データの契約先番号との一致確認を実施する。
【００２７】
そして、一致確認が、全項目一致でＯＫであれば、適正装填と判定し、交換作業を正常として許諾し、売上金回収処理を完了する。逆に、一致確認が、いずれか一項目が不一致でＮＧであれば、誤装填と判定し、交換作業を異常として許諾せず、納金機表示部３４および納金機音声出力部３５でその旨の警告を報知して、売上金回収処理を完了せずに待機する。この場合の納金機表示部３４による報知画面は、例えば、装填されたカセット２２である「硬貨Ａ金庫」のＩＣタグ２８から読み出した記憶データの契約先番号と、納金機記憶部３６に記憶されている顧客の契約先番号とが一致しない場合に、図３に示すように、「セットされた硬貨Ａ金庫は使用できません。」等の表示を行う。
【００２８】
以上から、納金機２１は、カセット交換時に、納金機ＩＣタグリーダ３１でカセット２２のＩＣタグ２８から読み出した記憶データから当該カセット２２の所有扱いが顧客専用であった場合に、当該記憶データに含まれる顧客識別データと、当該納金機２１に記憶されている顧客識別データとが、一致の場合は適正装填と判定する一方、不一致の場合は誤装填と判定してその旨の警告を報知する。これにより、納金機２１のカセット装填時に、店舗所有以外のカセット２２が誤装填されるのを防止できる。
【００２９】
また、カセット交換時に、納金機制御部３７は、上記に併せて、カセット２２の交換作業が行われる前に予め納金機ＩＣタグリーダ３１で読み出しておいた、つまりは売上金が収納されたカセット２２のカセット識別データである金庫ＩＤと、交換後に装着されたカセット２２のＩＣタグ２８から納金機ＩＣタグリーダ３１で読み出した金庫ＩＤとが一致するか否かを確認する。
【００３０】
そして、納金機制御部３７は、交換される全てのカセット２２について各々の交換前後の金庫ＩＤの不一致を確認すると、交換される全てのカセット２２が空のカセット２２に正常に交換作業が行われたものと判定して、売上金回収処理を完了する。逆に、交換される全てのカセット２２のうち、少なくともいずれか１つのカセット２２の金庫ＩＤの交換前後の一致を確認すると、空のカセット２２ではなく、元の売上金が収納されたカセット２２が誤って装着されたもの、つまりは回収忘れ（交換ミス）と判定して、納金機表示部３４および納金機音声出力部３５でその旨の警告を報知して、売上金回収処理を完了せず待機する。これにより、カセット回収時に、カセット２２の回収忘れを防止できる。この場合の納金機表示部３４による報知画面は、例えば、カセット２２である「硬貨Ｂ金庫」の金庫ＩＤの交換前後の一致を確認すると、図４に示すように、「硬貨Ｂ金庫が交換されていません。」等の表示を行う。
【００３１】
以上から、納金機２１は、カセット交換時に、装填されたカセット２２のＩＣタグ２８から納金機ＩＣタグリーダ３１で読み出した記憶データから当該カセット２２の所有扱いが顧客専用であった場合に、当該記憶データに含まれるカセット識別データである金庫ＩＤと、当該カセット交換直前に装填されていたカセット２２のカセット識別データである金庫ＩＤとが、不一致の場合は適正装填と判定する一方、一致の場合は誤装填と判定する。
【００３２】
次に、売上金回収処理が正常に完了（処理全体が終了するタイミングだけではなく、個々の処理が終了するタイミング毎でも良い）すると、納金機制御部３７は、ネットワークＣで通信可能に接続されてデータセンタＤに設置されているデータ蓄積機２３に向けて、当該納金機２１での売上金回収処理が正常に完了した旨および売上金回収処理で回収したカセット２２毎の貨幣量を含む回収データを通知する。この構成は、各店舗毎に同様であり、各店舗毎の売上金回収処理が正常に完了すると、これに係る回収データがデータセンタＤに設置されているデータ蓄積機２３に順次通知されて、データ蓄積機２３側で回収データが蓄積記憶されるようになっている。さらに、データセンタＤに設置されているデータ蓄積機２３は、回収員が回収した売上金を運搬する現金センタＢに設置された精査機２４ともネットワークＣで通信可能に接続されている。精査機２４は、データ蓄積機２３から、必要とする回収データを適宜ダウンロードするようになっている。
【００３３】
ここで、取扱種別データが、所有扱いが共用であることを示すデータの場合、もしくは所有扱いが顧客専用であることを示すデータの場合であっても納金機２１の号機番号の一致確認までは行わない第１確認モードおよび第２確認モードの場合においては、納金機２１の１号機から回収したカセット２２を、納金機２１の２号機に誤って誤装填してしまった場合に、納金機２１毎の金庫ＩＤの一致および不一致の確認だけでは、交換ミスを防ぐことができない。
【００３４】
このため、カセット交換がなされる毎に、納金機記憶部３６が記憶している交換前の金庫ＩＤと、交換後の金庫ＩＤとの不一致を確認する（取り敢えず、異なるカセット２２が装填されたと判断する）と、あらたに装填されたカセット２２の金庫ＩＤをデータセンタＤのデータ蓄積機２３に送信し、データ蓄積機２３では、回収された金庫ＩＤ群の中に、当該あらたに装填された金庫ＩＤと同一のものがないことを確認する。または、データ蓄積機２３において事前に準備した空のカセット２２の金庫ＩＤ群の中に、当該あらたに装填された金庫ＩＤと同一のものがあることを確認する。さらには、これらの両方の確認を行う。これらのチェック動作によって、カセット２２の交換ミスを確実に防止し、いずれかにおいて異常が確認されたときは、納金機２１において、直ちに警報を発する。このようにすれば、一店舗に、納金機２１が複数台存在する場合に有効である。
【００３５】
回収データは、例えば図５に示すようなデータ構成とされている。図５で示すユーザー１の納金機２１の号機番号０１を例にとると、回収データから、カセット交換で回収されたカセット２２は、金庫ＩＤが「０１２Ｅ３Ｄ１４４９０Ｄ４Ｆ６４」で、収納貨幣データである硬貨回収合計金額が７，５８１円のカセット２２と、金庫ＩＤが「０１２Ｅ３Ｄ１４４９０ＤＢ１５Ａ」で、収納貨幣データである紙幣回収合計金額が３万円のカセット２２と、金庫ＩＤが「０１２Ｅ３Ｄ１４４９０ＤＡ３４Ｄ」で、収納貨幣データである硬貨回収合計金額が３，５８５円のカセット２２の計３個であって、回収日は２０１６年０９月１７日で、回収時刻は１０時１９分０４秒であることが分かる。
【００３６】
すなわち、回収データは、売上金回収処理が正常に完了した際に、一の納金機２１の納金機制御部３７が作成記録したデータであって、当該一の納金機２１からこれら３個のカセット２２が回収されたことにより、これら３個のカセット２２の金庫ＩＤおよび回収データが全て関連付けられてデータ蓄積機２３に通知され、データ蓄積機２３で記憶される。そして、精査機２４側からの照会に応じて、精査機２４が必要とする回収データを適宜ダウンロードできるようになっている。言い換えれば、納金機２１は、複数のカセット交換時に、当該複数のカセット交換直前に装填されていた複数のカセット２２の金庫ＩＤおよび収納貨幣データを関連付けて精査機２４に、データ蓄積機２３を介して通知可能となっている。
【００３７】
このように、納金機２１のカセット回収時は、回収処理選択時に、納金機２１がデータ蓄積機２３に回収金額を含む回収データを記憶させることで、紙ジャーナルの紛失リスクを回避することができる。また、納金機２１のカセット回収時のジャーナル印字をなくすことも可能であり、このようにすればペーパーレス化が図れる。さらに、データセンタＤのデータ蓄積機２３には、納金機２１がＩＣタグ２８の固有番号である金庫ＩＤおよび店舗番号と、カセット２２毎の回収金額を含む回収データとを送信することで、現金センタＢでの精査時は、カセット２２毎の精査が可能となり、不整合のカセット２２が特定できるようになる。顧客店舗Ａでの交換用のカセット装填時には、カセット２２のＩＣタグ２８の店舗情報である顧客の契約先番号と納金機２１が記憶している顧客の契約先番号とを比較することで、店舗所有以外のカセット２２が誤装填されるリスクを回避できる。共用のカセット２２が装填された場合、共用のカセット２２を受付可とする店舗にあっては、装填を許可するとともに、装填を許可した共用のカセット２２に対して当該顧客の契約先番号を記憶させる。共用のカセット２２を受付不可とする店舗にあっては、装填を確認したところで、誤装填の警報を発する。さらに、納金機２１は、回収された（直前に取り出された）カセット２２の固有番号である金庫ＩＤと、装填されたカセット２２の固有番号である金庫ＩＤとを比較することで、カセット２２の回収し忘れ（交換ミス）を防止することができる。交換ミスを確認したときは、交換ミスの警報を発する。
【００３８】
精査機２４は、納金機２１およびデータ蓄積機２３とネットワークＣを介して通信可能に接続されており、カセット２２に収納された売上金を精査するものである。精査機２４は、売上金である貨幣が投入されると、投入された貨幣を精査計数する。精査機２４は、カセット２２のＩＣタグ２８から記憶データを読み出し可能な精査機ＩＣタグリーダ４１と、操作入力を受け付ける精査機操作部４２と、モニタ表示を行う精査機表示部４３と、音声出力を行う精査機音声出力部４４と、データを記憶する精査機記憶部４５と、精査機２４の全体を制御する精査機制御部４６とを有している。
【００３９】
次に、回収員が回収したカセット２２を現金センタＢに運搬した後の運用について説明する。
【００４０】
現金センタＢの操作員は、運搬されたカセット２２から売上金を取り出して精査機２４で現金計数での精査を行うが、その際にまず操作員は、図６に示すように、精査機２４の精査機表示部４３をカセット精査画面にし、その案内にしたがって、精査機２４に備えられた精査機ＩＣタグリーダ４１を、運搬されたカセット２２のいずれか１つのカセット２２のＩＣタグ２８に近づけて記憶されている記憶データを読み出す操作を行う。すると、精査機制御部４６は、まず読み出した記憶データの中のカセット識別データである金庫ＩＤに対して、ネットワーク通信でデータ蓄積機２３から当該金庫ＩＤを含む回収データを読み出す。そして、この回収データに含まれる当該金庫ＩＤに関連づけて記憶された別の金庫ＩＤの有無を認識すると共に、これに関連した情報を精査機表示部４３に表示を行って操作員に当該情報を知らせるようになっている。
【００４１】
精査機２４は、精査機ＩＣタグリーダ４１で読み出した、カセット２２のＩＣタグ２８の記憶データに含まれるカセット識別データである金庫ＩＤと関連付けられた複数のカセット２２の金庫ＩＤのそれぞれに対応してデータ蓄積機２３から読み出した収納貨幣データと、当該複数のカセット２２のそれぞれの金庫ＩＤと関連して精査計数した計数貨幣データとの一致を、金庫ＩＤ毎つまりカセット２２毎に確認する。つまり、第１のカセット２２と第２のカセット２２との２つのカセットがある場合、データ蓄積機２３から読み出した第１のカセット２２の金庫ＩＤを含む回収データの収納貨幣データと、当該金庫ＩＤに関連して精査機２４で精査計数した計数貨幣データとの一致を確認し、第１のカセット２２の金庫ＩＤに関連してデータ蓄積機２３から読み出した第２のカセット２２の金庫ＩＤを含む回収データの収納貨幣データと、当該金庫ＩＤに関連して精査機２４で精査計数した計数貨幣データとの一致を確認する。このように、カセット２２毎に精査を行うことができ、不整合のカセット２２が特定できる。
【００４２】
図７に示す例においては、精査機ＩＣタグリーダ４１で、金庫ＩＤが「０１２Ｅ３Ｄ１４４９０Ｄ４Ｆ６４」で硬貨回収合計が７，５８１円のカセット２２のＩＣタグ２８の記憶データを読み出した場合の精査機表示部４３の表示画面を示している。この精査機表示部４３の表示画面では、当該金庫ＩＤについてデータ蓄積機２３から読み出した回収金額が７，５８１円であること、当該カセット２２の硬貨を精査機２４で現金計数した結果である入金金額が７，５８１円であること、これらの精査一致が確認できたことを表示したものである。
【００４３】
また、この表示画面は、当該カセット２２の精査は済みであるが、残り２個のカセット２２、すなわち、金庫ＩＤが「０１２Ｅ３Ｄ１４４９０ＤＢ１５Ａ」で、収納貨幣データである紙幣回収合計金額が３万円のカセット２２と、金庫ＩＤが「０１２Ｅ３Ｄ１４４９０ＤＡ３４Ｄ」で、収納貨幣データである硬貨回収合計金額が３，５８５円のカセット２２とについては未精査であることを入金金額が０であることで表示しており、操作員は、これら残り２個のカセット２２の中の売上金を精査機２４で精査を行う必要があることを認識する。
【００４４】
すると、操作員は残り２個のカセット２２についても同様に、精査機ＩＣタグリーダ４１をカセット２２のＩＣタグ２８に近づけて記憶されている記憶データを読み出すと共にカセット２２の中の売上金を取り出して精査機２４で精査を行う。このようにして、残り２個のカセット２２の分についても精査が終わると、精査機制御部４６は、同じ納金機２１から回収した複数のカセット２２の一連の精査処理を完了することになる。
【００４５】
なお、参考までに、図８に示す例においては、金庫ＩＤが「０１２Ｅ３Ｄ１４４９０Ｄ４Ｆ６４」で、収納貨幣データである硬貨回収合計金額が７，５８１円のカセット２２のＩＣタグ２８の記憶データを読み出した場合であって、当該金庫ＩＤについてデータ蓄積機２３から読み出した回収金額が７，５８１円であり、当該金庫ＩＤのカセット２２の硬貨を精査機２４で現金計数した結果の入金金額が１０，０００円であって、精査不一致が確認できたことを表示している。
【００４６】
以上のように、現金センタＢでは、回収したカセット２２のＩＣタグ２８の受付チェックを精査機ＩＣタグリーダ４１で行う。そして、顧客店舗Ａでの回収作業において送信されたカセット２２に関する記憶データと、受付チェックされたカセット２２のＩＣタグ２８の記憶データ等を突き合わせることで、カセット２２の受け渡しを確認、行方不明を防止でき、行方不明（または精査が未処理）のカセット２２（あるいはバッグ）を特定することができる。
【００４７】
以上に述べた第１実施形態によれば、納金機２１は、カセット交換時に、納金機ＩＣタグリーダ３１が、装填されたカセット２２のＩＣタグ２８から記憶データを読み出すと、この記憶データから当該カセット２２の所有扱いが顧客専用であった場合に、当該記憶データに含まれる顧客識別データと、当該納金機２１に記憶されている顧客識別データとが、一致の場合は適正装填と判定し、不一致の場合は誤装填と判定する。これにより、回収員が、納金機２１に対応する顧客専用の所定のカセット２２とは異なるカセット２２を納金機２１に誤って装填してしまってもこれを検出することができる。そして、誤装填と判定の場合、その旨の警告報知を行うことにより、回収員の誤装填を防止することができる。
【００４８】
また、納金機２１は、カセット交換時に、装填されたカセット２２のＩＣタグ２８から納金機ＩＣタグリーダ３１で読み出した記憶データから当該カセット２２の所有扱いが顧客専用であった場合に、当該記憶データに含まれるカセット識別データと、当該カセット交換直前に装填されていたカセット２２のカセット識別データとが、不一致の場合は、交換前に装填されていたカセット２２と交換後のカセット２２とが異なることから、適正装填と判定する一方、一致の場合は、交換前に装填されていたカセット２２と交換後のカセット２２とが同じため、交換ミスによる回収忘れの誤装填があったと判定する。そして、誤装填と判定の場合、その旨の警告報知を行うことにより、回収員の誤装填を防止することができる。
【００４９】
また、納金機２１は、複数のカセット交換時に、当該複数のカセット交換直前に装填されていた複数のカセット２２のカセット識別データを関連付けて精査機２４に通知することになり、精査機２４は、精査機ＩＣタグリーダ４１で読み出した記憶データに含まれるカセット識別データと関連付けられた複数のカセット２２のカセット識別データを関連付けて表示して精査作業者に案内する。よって、一の納金機２１に対し複数のカセット交換を行った場合でも、当該一の納金機２１から回収された、売上金が収納された複数のカセット２２を関連付けて精査処理することが可能となる。
【００５０】
また、納金機２１は、複数のカセット交換時に、当該複数のカセット交換直前に装填されていた複数のカセット２２のカセット識別データおよび収納貨幣データを関連付けて精査機２４に通知する。一方で、精査機２４は、精査機ＩＣタグリーダ４１で読み出した記憶データに含まれるカセット識別データと関連付けられた複数のカセット２２の収納貨幣データと、当該複数のカセット２２のカセット識別データと関連して精査計数した計数貨幣データとの一致を、カセット２２毎に確認する。よって、カセット２２毎に精査を行うことができるので、売上金に精査不一致が発生しても、不整合のカセット２２を特定できる。
【００５１】
［第２実施形態］
本発明に係る第２実施形態の売上金回収システムを図９等を参照して第１実施形態との相違部分を中心に説明する。
【００５２】
第２実施形態においては、納金機２１が、装填されたカセット２２のＩＣタグ２８から記憶データを読み出し可能である納金機ＩＣタグリーダ３１に加えて、装填されたカセット２２のＩＣタグ２８の記憶データを上書き更新可能な納金機ＩＣタグライタ５１を有している。
【００５３】
そして、第１実施形態と同様に回収員が売上金回収操作を行った際には、納金機制御部３７は、回収される売上金が収納されたカセット２２の個別のＩＣタグ２８の記憶データに対して、以下のようにデータを上書き更新するようになっている。
【００５４】
ＩＣタグ２８に記憶される記憶データは、例えば、図２に示すように、ブロック毎にデータが存在する。まず、空のカセット２２に金庫交換される前に売上金が収納されたカセット２２のＩＣタグ２８に記憶された記憶データを納金機ＩＣタグリーダ３１で読み取ると、納金機制御部３７は、ブロック番号００ｈの取扱種別データをチェックして、取扱種別データが、所有扱いが顧客専用であることを示すデータであって当該カセット２２が契約先である顧客専用の所有物であるか、それとも、所有扱いが共用であることを示すデータであって当該カセット２２が例えば警備会社等の所有物であって持ち回りで共用で使用されるフリーの物であるかを確認する。
【００５５】
取扱種別データが、所有扱いが顧客専用であることを示すデータの場合、納金機制御部３７は、同じブロック番号００ｈの顧客の契約先番号、店番号、納金機２１の号機番号はそのままのデータを保持したままとし、納金機ＩＣタグライタ５１で上書き更新は行わない。他方、取扱種別データが、所有扱いが共用であることを示すデータの場合、納金機制御部３７は、当該納金機２１で取り扱ったカセット２２として関連付けされた証として、当該納金機２１の納金機記憶部３６に記憶されている顧客の顧客識別データである契約先番号、店番号、納金機２１の号機番号の各々のデータを、納金機ＩＣタグライタ５１でブロック番号００ｈの顧客の契約先番号、店番号、納金機２１の号機番号に対して上書き更新を行う。なお、この上書き更新は、空の状態でのカセット２２の納金機２１への装填時に行っても良い。すなわち、納金機２１は、装填されたカセット２２のＩＣタグ２８から納金機ＩＣタグリーダ３１で読み出した記憶データから当該カセット２２の所有扱いが顧客専用では無く共用扱いであった場合には、当該納金機２１に記憶された顧客識別データを納金機ＩＣタグライタ５１によって、装填されたカセット２２のＩＣタグ２８に記憶データとして書き込む。
【００５６】
次に、ブロック番号００ｈの取扱種別データが、所有扱いが顧客専用であることを示すデータおよび所有扱いが共用であることを示すデータのいずれであっても、以下のように上書き更新処理を行う。
【００５７】
つまり、納金機制御部３７は、ブロック番号０１ｈの回収日と回収時刻を上書き更新し、ブロック番号０２ｈのカセット２２内の売上金である貨幣の金種明細の紙幣分、ブロック番号０３ｈのカセット２２内の売上金である貨幣の金種明細の硬貨分を上書き更新し、またブロック番号０４ｈの回収回数についても予め納金機ＩＣタグリーダ３１で読み取っておいた元の値を＋１して上書き更新する。さらに、ブロック番号０５ｈ〜０Ｅｈは交換されるカセット２２とセットで交換される他のカセット２２の金庫ＩＤ用の情報エリアであり、例えば、金庫ＩＤが「０１２Ｅ３Ｄ１４４９０ＤＢ１５Ａ」で、収納貨幣データである紙幣回収合計金額が３万円のカセット２２については、ブロック番号０５ｈとブロック番号０６ｈとに、セットで交換される他のカセット２２の金庫ＩＤである「０１２Ｅ３Ｄ１４４９０Ｄ４Ｆ６４」と「０１２Ｅ３Ｄ１４４９０ＤＡ３４Ｄ」を各々上書き更新し、その他のブロック番号０７ｈ〜０Ｅｈは関連付けるものが無く未使用となるので、これらについては全てデータ０にて上書き更新する。
【００５８】
また、ＩＣタグ２８のブロック番号０Ｆｈには「今回の収納異常情報データ」用のエリアが、また１０ｈには「累積の収納異常情報データ」用のエリアが割り当てられている。より具体的には、「今回の収納異常情報データ」とは、回収員が売上金回収操作の際に空のカセット２２に交換した当該カセット２２について、交換で装着した時から開始して次回に回収員が売上金回収操作の際に当該カセット２２を交換で脱着する終了迄の期間での当該カセット２２に係るエラー情報である。つまり、正常に稼働されていればカセット２２内の売上金は正常な在り高として確定するものの、例えば収納動作異常が発生して、本来はカセット２２内に収納されるべき売上金である貨幣がカセット２２から零れて納金機２１内に不正に残留してしまうケース等においては、カセット２２内の売上金は正常な在り高として確定せず不確定となってしまう虞があるからである。そして、「今回の収納異常情報データ」及び「累積の収納異常情報データ」は、このような稼働異常が発生した際の記録用途として用いられる。
【００５９】
「今回の収納異常情報データ」とは、ブロック番号０Ｆｈの“０”と“１”の２バイトエリアは「収納異常発生件数データ」であり、上述したように当該カセット２２を交換で装着した時にブロック番号０Ｆｈの“０”と“１”の２バイトエリアには初期値０が納金機ＩＣタグライタ５１によって書き込まれる。そして納金機２１で当該カセット２２の使用中に、収納異常が発生した際には、その２バイトエリアには元の値を読み出して＋１した値（初めて異常が発生した際は、０＋１で１が、次回は１＋１で２が、・・）が納金機ＩＣタグライタ５１によって書き込まれる。また、ブロック番号０Ｆｈの“２”と“３”の２バイトエリアは「収納異常に係るカセット側要因件数データ」であり、上述したように当該カセット２２を交換で装着した時にブロック番号０Ｆｈの“２”と“３”の２バイトエリアには初期値０が納金機ＩＣタグライタ５１によって書き込まれる。
【００６０】
そして稼働中に発生した収納異常のエラーコードに対応して、その収納異常の発生要因が例えばカセット２２側のシャッタ動作異常のようにカセット２２側にある際には、その２バイトエリアには元の値を読み出して＋１した値（初めて異常が発生した際は０＋１で１が、次回は１＋１で２が、・・）が納金機ＩＣタグライタ５１によって書き込まれる。また、ブロック番号０Ｆｈの“４”と“５”の２バイトエリアは「収納異常に係る納金機側要因件数データ」であり、上述したように当該カセット２２を交換で装着した時にブロック番号０Ｆｈの“４”と“５”の２バイトエリアには初期値０が納金機ＩＣタグライタ５１によって書き込まれる。そして稼働中に発生した収納異常のエラーコードに対応して、その収納異常の発生要因が例えば納金機２１側のプッシャ動作異常のように納金機２１側にある際には、その２バイトエリアには元の値を読み出して＋１した値（初めて異常が発生した際は０＋１で１が、次回は１＋１で２が、・・）が納金機ＩＣタグライタ５１によって書き込まれる。
【００６１】
他方、「累積の収納異常情報データ」とは、回収員が売上金回収操作の際の空のカセット２２に交換云々に無関係であって、いずれの納金機２１に装着された状態であっても収納異常が発生した際にカウントアップされ続ける累積での当該カセット２２に係るエラー情報である。ブロック番号１０ｈの“０”と“１”の２バイトエリアは収納異常発生件数であり、納金機２１で当該カセット２２の使用中に、収納異常が発生した際には、その２バイトエリアには元の値を読み出して＋１した値（初めて異常が発生した際は０＋１で１が、次回は１＋１で２が、・・）が納金機ＩＣタグライタ５１によって書き込まれる。
【００６２】
また、ブロック番号１０ｈの“２”と“３”の２バイトエリアは収納異常に係るカセット側要因件数であり、稼働中に発生した収納異常のエラーコードに対応して、その収納異常の発生要因が例えばカセット２２側のシャッタ動作異常のようにカセット２２側にある際には、その２バイトエリアには元の値を読み出して＋１した値（初めて異常が発生した際は０＋１で１が、次回は１＋１で２が、・・）が納金機ＩＣタグライタ５１によって書き込まれる。また、ブロック番号１０ｈの“４”と“５”の２バイトエリアは収納異常に係る納金機側要因件数データであり、稼働中に発生した収納異常のエラーコードに対応して、その収納異常の発生要因が例えば納金機２１側のプッシャ動作異常のように納金機２１側にある際には、その２バイトエリアには元の値を読み出して＋１した値（初めて異常が発生した際は０＋１で１が、次回は１＋１で２が、・・）が納金機ＩＣタグライタ５１によって書き込まれる。
【００６３】
なお、上記では、「今回の収納異常情報データ」と「累積の収納異常情報データ」とについて説明したが、収納異常に限定して囚われる必要はなく、カセット２２に収納される貨幣の在高が確定できなく虞がある他のエラーについても、勿論、含まれても良い。例えば、納金機２１が稼働中に、カセット２２にアクセスする為の本体前扉（後扉でも良い）が不正に開けられた痕跡を制御部が検出した際にも、適用可能となる。そして適用する場合には、ブロック番号ＯＦｈおよび１０ｈの空きエリアである“６”〜“１５”を適宜使用して記録可能とすれば良い。
【００６４】
続いて、回収員が、売上金が収納されたカセット２２を抜き取り、替わりに回収員が準備してきた空のカセット２２を納金機２１に装填してカセット２２の交換作業を行うと、納金機制御部３７は、この動作を検知して、交換後に装着されたカセット２２のＩＣタグ２８に記憶されたデータを納金機ＩＣタグリーダ３１によって読み出す。そして読み出した顧客の契約先番号、店番号、納金機２１の号機番号および取扱種別データについての上述した第１実施形態と同様にチェックする。
【００６５】
次に、売上金回収処理が正常に完了すると、納金機制御部３７は、ネットワークＣで通信可能に接続されてデータセンタＤに設置されているデータ蓄積機２３に向けて、当該納金機２１での売上金回収処理が正常に完了した旨およびこれに係る売上金回収処理で回収した各カセット２２それぞれの貨幣量を含む回収データを、第１実施形態と同様に通知して記憶させる。その際には、「回収データ」に属する情報として金庫ＩＤに関連付けられて、「今回の収納異常情報データ」と「累積の収納異常情報データ」も通知する。すなわち、納金機２１は、装填された複数のカセット２２のカセット識別データである金庫ＩＤおよび収納貨幣データを関連付けて精査機２４に通知するとともに、装填された複数のカセット２２それぞれのＩＣタグ２８にカセット識別データである金庫ＩＤおよび収納貨幣データを他のカセット２２の金庫ＩＤと関連付けて納金機ＩＣタグライタ５１によって記憶データとして書き込む。回収処理選択時に、納金機２１が、回収されるカセット２２のＩＣタグ２８に回収金額を記憶させることで、紙ジャーナルの紛失リスクを回避することもできる。
【００６６】
次に、回収員が回収したカセット２２を現金センタＢに運搬した後の運用について説明する。
【００６７】
現金センタＢの操作員は、運搬されてきたカセット２２から売上金を取り出して精査機２４で現金計数での精査を行うが、その際にまず操作員は、図６に示すように、精査機２４の精査機表示部４３をカセット精査画面にして、精査機２４に備えられた精査機ＩＣタグリーダ４１を、運搬されてきたカセット２２のいずれか１つのカセット２２のＩＣタグ２８に近づけて記憶されている記憶データを読み出す操作を行う。すると、精査機制御部４６は、まず、読み出した記憶データの中のカセット識別データである金庫ＩＤに対して、ネットワーク通信でデータ蓄積機２３から当該金庫ＩＤを含む回収データを読み出す。そして、この回収データに含まれる当該金庫ＩＤに関連づけて記憶された別の金庫ＩＤの有無を認識すると共に、これに関連した情報を精査機表示部４３に表示を行って操作員に当該情報を知らせるようになっている。すなわち、精査機２４は、精査機ＩＣタグリーダ４１で読み出した記憶データに含まれるカセット識別データである金庫ＩＤと関連付けられた複数のカセット２２の金庫ＩＤを関連付けて精査機表示部４３に表示する。その際に、いずれかのカセット２２の金庫ＩＤに関連付けられた「今回の収納異常情報データ」が０ではないことを精査機制御部４６が検出すると、まず精査機表示部４３の表示画面に「この中のカセット２２のいずれかに、現金在り高が不確定のものが有る虞がある」旨の報知を行う。それ以後、精査機制御部４６は、第１実施形態と同様に制御を行う。すなわち、精査機２４は、精査機ＩＣタグリーダ４１で読み出した、カセット２２のＩＣタグ２８の記憶データに含まれるカセット識別データである金庫ＩＤと関連付けられた複数のカセット２２の金庫ＩＤのそれぞれに対応してデータ蓄積機２３から読み出した収納貨幣データと、当該複数のカセット２２のそれぞれの金庫ＩＤと関連して精査計数した計数貨幣データとの一致を、金庫ＩＤ毎つまりカセット２２毎に確認する。
【００６８】
操作員が個別精査を行う際にも、いずれかのカセット２２のＩＣタグ２８に精査機ＩＣタグリーダ４１をかざした際に、当該カセット２２の金庫ＩＤに関連付けられた「今回の収納異常情報データ」が０ではないことを精査機制御部４６が検出すると、例えば図７に示す状態の精査機表示部４３の表示画面において、「このカセット２２は、現金在り高が不確定のものが有る虞がある」旨の報知を行う。勿論、複数のカセット２２でこの事象を検出した際には、該当する複数のカセット２２の個別精査の際に報知を行う。これにより、操作員に対して、精査を行うにあたって予め注意を促すことができるようになり、また在り高不確定の疑いのあるカセット２２を特定して報知可能となる。また、これらＩＣタグ２８に付与されたデータは、顧客店舗Ａでのカセット交換時にはデータセンタＤのデータ蓄積機２３にも通知される。データ蓄積機２３には、契約している店舗数分の全データが蓄積されているので、データ蓄積機２３のデータをメーカー保守員が参照して、在り高不確定の疑いのあるカセット２２を追跡可能となる。
【００６９】
また、操作員が上記の個別精査を行った際には、精査機ＩＣタグリーダ４１で読み出した「累積の収納異常情報データ」の中の「収納異常に係るカセット側要因件数データ」を、併せて表示画面に件数表示するようになっており、さらに、所定の件数以上の件数であることを条件として、「このカセットは修理または新品交換の必要性がある」旨を案内するようになっている。これによって、操作員に対して、カセット２２の信頼性が低い場合にはその処置内容を案内できる。また、ＩＣタグ２８に付与されたデータは、店舗での金庫交換時にはデータセンタＤのデータ蓄積機２３にも通知される。データ蓄積機２３には、契約している店舗数分の全データが蓄積されているので、カセット２２の信頼性評価等の目的で、データ蓄積機２３のデータをメーカー保守員が参照してＩＯＴ等で活用可能となる。
【００７０】
以上に述べた第２実施形態によれば、納金機２１は、納金機ＩＣタグリーダ３１が、装填されたカセット２２のＩＣタグ２８から記憶データを読み出すと、この記憶データから当該カセット２２の所有扱いが顧客専用であった場合に、当該記憶データに含まれる顧客識別データと、当該納金機２１に記憶されている顧客識別データとが、一致の場合は適正装填と判定し、不一致の場合は誤装填と判定する。これにより、回収員が、納金機２１に対応する顧客専用の所定のカセット２２とは異なるカセット２２を納金機２１に誤って装填してしまってもこれを検出することができる。そして、誤装填と判定の場合、その旨の警告報知を行うため、回収員の誤装填を防止することができる。
【００７１】
また、納金機２１は、納金機ＩＣタグライタ５１を有しているため、もし仮にネットワークＣの通信異常が発生していて回収データを通知できない場合でも、回収データをバッグアップデータとして、納金機ＩＣタグライタ５１でカセット２２のＩＣタグ２８に書き込んで、精査機２４側への通知ができるようになる。
【００７２】
また、納金機２１は、装填されたカセット２２のＩＣタグ２８から納金機ＩＣタグリーダ３１で読み出した記憶データから当該カセット２２の所有扱いが共用扱いであった場合に、適正装填と判定する。また、装填されたカセット２２のＩＣタグ２８から納金機ＩＣタグリーダ３１で読み出した記憶データから当該カセット２２の所有扱いが顧客専用であった場合に、当該記憶データに含まれるカセット識別データである金庫ＩＤと、当該カセット交換直前に装填されていたカセット２２の金庫ＩＤとが、不一致の場合は、交換前に装填されていたカセット２２と交換後のカセット２２とが異なることから、適正装填と判定する一方、一致の場合は、交換前に装填されていたカセット２２と交換後のカセット２２とが同じため、交換ミスによる回収忘れの誤装填と判定する。そして、誤装填と判定の場合、その旨の警告報知を行うため、回収員の誤装填を防止することができる。
【００７３】
また、納金機２１は、装填されたカセット２２のＩＣタグ２８から納金機ＩＣタグリーダ３１で読み出した記憶データから当該カセット２２の所有扱いが顧客専用では無く共用扱いであった場合には、当該納金機２１の納金機記憶部３６に記憶されている顧客識別データを納金機ＩＣタグライタ５１によって、装填されたカセット２２のＩＣタグ２８に記憶データの一部として書き込む。よって、納金機２１は、自身に記憶された所定の契約先に係る顧客識別データを共用扱いのカセット２２に書き込んで、自身に記憶された所定の契約先と関連付けることができる。
【００７４】
また、納金機２１は、装填された複数のカセット２２のカセット識別データである金庫ＩＤを関連付けて精査機２４に通知するとともに、当該複数のカセット交換で装填された複数のカセット２２それぞれのＩＣタグ２８に、その金庫ＩＤを他のカセット２２の金庫ＩＤと関連付けて納金機ＩＣタグライタ５１によって記憶データとして書き込む。精査機２４は、精査機ＩＣタグリーダ４１で読み出した記憶データに含まれる金庫ＩＤと関連付けられた複数のカセット２２の金庫ＩＤを関連付けて表示して精査作業者に案内する。よって、一の納金機２１に対し複数のカセット交換を行った場合でも、当該一の納金機２１から回収された、売上金が収納された複数のカセット２２を関連付けて精査処理することが可能となる。
【００７５】
また、納金機２１は、装填された複数のカセット２２の金庫ＩＤおよび収納貨幣データを関連付けて精査機２４に通知する。一方で、精査機２４は、精査機ＩＣタグリーダ４１で読み出した記憶データに含まれる金庫ＩＤと関連付けられた複数のカセット２２の収納貨幣データと、当該複数のカセット２２の金庫ＩＤと関連して精査計数した計数貨幣データとの一致を、カセット２２毎に確認する。よって、カセット２２毎に精査を行うことができるので、売上金に精査不一致が発生しても、不整合のカセット２２を特定できる。
【００７６】
［第３実施形態］
本発明に係る第３実施形態の売上金回収システム１１を図１０等を参照して第１，第２実施形態との相違部分を中心に説明する。
【００７７】
上述した第１，第２実施形態は、納金機２１において売上金が確定しており、その売上金が収納されたカセット２２を交換する際の運用について説明したが、第３実施形態では、顧客店舗に納金機２１が無い構成であって、店舗の店長等が当日の売上金をバッグ８０（収納容器）に手で自ら収納して、当該バッグ８０を回収員に手渡す場合の運用形態となっている。なお、売上金が収納されるのは必ずしもバッグ８０に限定される訳ではなく、例えば鍵付きの手提げ金庫等であっても良く、現金を収納可能な「収納容器」であれば適宜使用可能となる。
【００７８】
売上金が収納される複数のバッグ８０には各々ＩＣタグ２８が配設されている。ＩＣタグ２８に記憶されたデータ構成に関しては、第１，第２実施形態と同じであり、データ上の相違点箇所は、図２を参照して説明すると、ブロック番号００ｈの運用種別データが「１：バック」で取扱種別データは「１：専用」で設定されており、またバック運用であるので号機は無関係となり「００」に設定されている。
【００７９】
顧客店舗Ａには、店長が操作して売上金に関しての管理を行う売上金管理機７１が設置されていて、当該売上金管理機７１には、バッグ８０のＩＣタグ２８に記憶された記憶データを読み取ったり、バッグ８０のＩＣタグ２８に記憶された記憶データを上書き更新する管理機ＩＣタグリーダライタ７２（管理機ＩＣタグライタ）が設けられている。
【００８０】
売上金管理機７１は、操作入力を受け付ける管理機操作部７３と、モニタ表示を行う管理機表示部７４と、音声出力を行う管理機音声出力部７５と、データを記憶する管理機記憶部７６と、売上金管理機７１の全体を制御する管理機制御部７７とを有している。
【００８１】
ここでは、便宜上、レジ番毎の売上金を個別にバッグ８０に収納する形態を説明し、レジは２箇所あり、バッグ８０もそれに対応して２個で運用されるものとして説明する。
【００８２】
まず、店長が売上金管理機７１の管理機表示部７４を読み出し画面に設定した上で、レジ番号１の売上金を第１のバッグ８０に収納する際に、第１のバッグ８０に配設されたＩＣタグ２８に管理機ＩＣタグリーダライタ７２をかざす。すると、管理機制御部７７は、管理機ＩＣタグリーダライタ７２によりＩＣタグ２８自体が有する固有番号であって収納容器識別データである金庫ＩＤを読み出して管理機表示部７４の操作画面に表示させて、予め入力されていたレジ番号１の売上金明細（合計金額、金種別明細）と関連付けて画面に表示させる。この状態で、店長が、管理機操作部７３の実行釦を押下すると、管理機制御部７７は、第１のバッグ８０用の金庫ＩＤとレジ番号１の売上金明細を関連付けて管理機記憶部７６に記憶することになる。
【００８３】
続いて、店長がレジ番号２の売上金を第２のバッグ８０に収納する際にも、同様に、第２のバッグ８０に配設されたＩＣタグ２８に管理機ＩＣタグリーダライタ７２をかざす。すると、管理機制御部７７は、管理機ＩＣタグリーダライタ７２によりＩＣタグ２８自体が有する固有番号であって収納容器識別データである金庫ＩＤを読み出して管理機表示部７４の操作画面に表示させて、予め入力されていたレジ番号２の売上金明細（合計金額、金種別明細）と関連付けて操作画面に表示させる。この状態で、店長が、管理機操作部７３の実行釦を押下すると、管理機制御部７７は、第２のバッグ８０用の金庫ＩＤとレジ番号２の売上金明細を関連付けて管理機記憶部７６に記憶することになる。そして、これ以上の読み出し操作がなく、管理機操作部７３に完了操作が行われると、管理機制御部７７は、これら２件分の情報を関連付けて管理機記憶部７６に記憶する。
【００８４】
続いて、店長が売上金管理機７１の管理機表示部７４を書き込み画面に設定した上で、第１のバッグ８０に配設されたＩＣタグ２８に管理機ＩＣタグリーダライタ７２をかざすと、管理機制御部７７は、ＩＣタグ２８の金庫ＩＤを読み出してこれが第１のバッグ８０用の金庫ＩＤであると認識し、その旨を管理機表示部７４に表示させる。続いて店長が管理機操作部７３の実行釦を押下すると、管理機制御部７７は、第１のバッグ８０に配設されたＩＣタグ２８のブロック番号０２ｈ、０３ｈの売上金の金種明細データ部にレジ番号１の売上金の収納貨幣データである金種明細データを上書き更新する。また、併せて、ブロック番号０５ｈに、第１のバッグ８０用の金庫ＩＤと関連付けられた第２のバッグ８０用の金庫ＩＤを上書き更新する。なお、その他のブロック番号０６ｈ〜０Ｅｈは関連付けるものがなく未使用となるので、これらについては全てデータ０にて上書き更新する。ここで、第１のバッグ８０に配設されたＩＣタグ２８に、第２のバッグ８０用の金庫ＩＤに加えて、レジ番号２の売上金の収納貨幣データである金種明細データを上書き更新するようにしても良い。
【００８５】
同様に、店長が、第２のバッグ８０に配設されたＩＣタグ２８に管理機ＩＣタグリーダライタ７２をかざす。すると、管理機制御部７７は、ＩＣタグ２８の金庫ＩＤを読み出してこれが第２のバッグ８０用の金庫ＩＤであると認識し、その旨を管理機表示部７４に表示させる。続いて店長が管理機操作部７３の実行釦を押下すると、管理機制御部７７は、第２のバッグ８０に配設されたＩＣタグ２８のブロック番号０２ｈ、０３ｈの売上金の金種明細データ部にレジ番号２の売上金の収納貨幣データである金種明細データを上書き更新する。また、併せて、ブロック番号０５ｈに、第２のバッグ８０用の金庫ＩＤと関連付けられた第１のバッグ８０用の金庫ＩＤを上書き更新する。なお、その他のブロック番号０６ｈ〜０Ｅｈは関連付けるものがなく未使用となるので、これらについては全てデータ０にて上書き更新する。ここで、第２のバッグ８０に配設されたＩＣタグ２８に、第１のバッグ８０用の金庫ＩＤに加えて、レジ番号１の売上金の収納貨幣データである金種明細データを上書き更新するようにしても良い。
【００８６】
すなわち、売上金管理機７１は、売上金を収納する複数のバッグ８０の収納容器識別データである金庫ＩＤと収納貨幣データとを関連付けて、当該複数のバッグ８０のそれぞれのＩＣタグ２８に管理機ＩＣタグリーダライタ７２によって書き込む。このようにして、売上金管理機７１での操作が完了すると、その後、店長は、第１のバッグ８０および第２のバッグ８０それぞれの鍵の施錠を行う。
【００８７】
そして、回収員が店舗を訪問すると、店長は、売上金が収納された第１のバッグ８０と第２のバッグ８０とを回収員に預け、回収員は第１のバッグ８０と第２のバッグ８０とを現金センタＢへ運ぶことになる。その後の現金センタＢでの精査機２４での運用形態については、第２実施形態と同じである。
【００８８】
すなわち、精査機２４は、精査機ＩＣタグリーダ４１で、バッグ８０のＩＣタグ２８から読み出した記憶データに含まれる収納容器識別データである金庫ＩＤが、例えば第１のバッグ８０の金庫ＩＤである場合に、関連付けられた第１のバッグ８０と第２のバッグ８０との金庫ＩＤを関連付けて精査機表示部４３に表示する。また、精査機２４は、精査機ＩＣタグリーダ４１で読み出した記憶データに含まれる収納容器識別データである金庫ＩＤと関連付けられた複数の第１のバッグ８０と第２のバッグ８０とについて、それぞれの収納貨幣データである金種明細データと、当該複数の第１のバッグ８０と第２のバッグ８０のそれぞれの金庫ＩＤと関連して精査計数した計数貨幣データとの一致を、バッグ毎に確認する。つまり、第１のバッグ８０のＩＣタグ２８から精査機ＩＣタグリーダ４１で読み出した第１のバッグ８０の金庫ＩＤを含む収納貨幣データと、当該金庫ＩＤに関連して精査機２４で精査計数した計数貨幣データとの一致を確認し、第２のバッグ８０のＩＣタグ２８から精査機ＩＣタグリーダ４１で読み出した第２のバッグ８０の金庫ＩＤを含む収納貨幣データと、当該金庫ＩＤに関連して精査機２４で精査計数した計数貨幣データとの一致を確認する。
【００８９】
以上に述べた第３実施形態によれば、売上金管理機７１が、売上金を収納する複数のバッグ８０の収納容器識別データである金庫ＩＤを関連付けて、当該複数のバッグ８０のそれぞれのＩＣタグ２８に管理機ＩＣタグリーダライタ７２によって書き込み、精査機２４は、精査機ＩＣタグリーダ４１で読み出した記憶データに含まれる金庫ＩＤと関連付けられた複数のバッグ８０の金庫ＩＤを関連付けて表示して精査作業者に案内する。よって、複数のバッグ８０で回収を行った場合でも、売上金が収納された関連する複数のバッグ８０を関連付けて精査処理することが可能となる。
【００９０】
また、売上金管理機７１が、売上金を収納する複数のバッグ８０の収納容器識別データである金庫ＩＤおよび収納貨幣データを関連付けて、当該複数のバッグ８０のそれぞれのＩＣタグ２８に管理機ＩＣタグリーダライタ７２によって書き込む。精査機２４は、精査機ＩＣタグリーダ４１で読み出した記憶データに含まれる金庫ＩＤと関連付けられた複数のバッグ８０の収納貨幣データと、当該複数のバッグ８０の金庫ＩＤと関連して精査計数した計数貨幣データとの一致を、バッグ毎に確認する。よって、バッグ毎に精査を行うことができるので、売上金に精査不一致が発生しても、不整合のバッグを特定できる。
【００９１】
なお、第３実施形態では、納金機２１が存在せず、顧客店舗Ａの売上金管理機７１がデータセンタＤに設置されているデータ蓄積機２３とネットワークＣで通信可能に接続されていない構成として説明したが、勿論、第３実施形態においても、必要に応じて顧客店舗Ａの売上金管理機７１がデータセンタＤのデータ蓄積機２３とネットワークＣで通信可能に接続され、さらに現金センタＢに設置されている精査機２４ともネットワークＣで通信可能に接続されるように、つまりは第２実施形態と同様の構成としても良い。このようにすることで、顧客店舗Ａの売上金が「回収データ」として、現金センタＢの精査機２４で照会可能となる。
【００９２】
また、第１〜第３実施形態では、顧客店舗Ａの納金機２１もしくは売上金管理機７１とデータセンタＤのデータ蓄積機２３と現金センタＢの精査機２４とがネットワークＣで通信可能に接続されている場合を例にとり説明したが、これに限らず、店舗数が少ないシステムにおいては、つまりはデータ蓄積機２３側で「回収データ」が蓄積されるデータ量が小さいシステムにおいては、データセンタＤのデータ蓄積機２３は必ずしも必要ではなく、データ蓄積機２３をなくして良い。その場合、顧客店舗Ａの納金機２１（もしくは売上金管理機７１）と現金センタＢの精査機２４とのみがネットワークＣで通信可能に接続される構成であっても良い。同様に、売上金管理機７１についても、これに替えて、店舗の店長が持ち歩きできる小型の携帯端末機としても良い。
【００９３】
また、第１，第２実施形態でのカセット回収運用については、回収員がカセット交換する際には、便宜上、図示略の操作画面案内によって、売上金が収納されたカセット２２つまりはカセット交換が必要なカセット２２が回収員に案内表示され、回収員が案内表示された売上金が収納されたカセット２２のみを抜き取って空のカセット２２に交換する運用となっているが、これに限らず、売上金が収納されていないカセット２２も含めて、必ず回収員は全てのカセット２２を空のカセット２２へ交換することを義務づけるような運用としても良い。こうすることによって、必ず交換したカセット２２が全て現金センタＢへ運搬されるので、より厳格な管理が可能となる。
【００９４】
また、データセンタＤのデータ蓄積機２３に接続されていない納金機２１の場合は、スマートホン等の携帯端末機でカセット２２のＩＣタグ２８に記憶された、金庫ＩＤ、店番号、収納貨幣データ等を読み取り、携帯端末機からデータセンタＤのデータ蓄積機２３に送信することで、回収されたカセット２２が行方不明になるリスクを回避することができる。
【００９５】
また、バッグ８０を用いた売上金の回収においては、金庫ＩＤと店番号とを記憶させたＩＣタグ２８をバッグ８０に配設しておき、売上金を回収する際は、スマートホン等の携帯端末機でバッグ８０のＩＣタグ２８から金庫ＩＤと店番号とを読み取り、データセンタＤのデータ蓄積機２３に送信することで、回収したバッグ８０が行方不明になるリスクを回避することができる。
【００９６】
第１〜第３実施形態では、現金センタＢには精査機２４が設けられていて、精査機２４で運び込まれたカセット２２またはバッグ８０の受付チェックと精査を併せて行うようにしているが、これらの作業を別個の構成で行っても良い。例えばＩＣタグリーダを有するパソコンシステムを設けて、カセット２２またはバッグ８０の受付チェックだけを行う構成として実施し、これとは別に売上金の精査だけは別の精査装置で実施する構成としても良い。
【００９７】
さらに、金庫ＩＤとして、ＩＣタグ２８の固有番号をそのまま使用しているため、１６進の１６の長大なデータとなっている。これをカセット２２あるいはバッグ８０自体に表示して、目視でのチェックを行おうとすると識別が煩雑となり不便である。よって、カセット２２あるいはバッグ８０自体を目視で識別できるように、表示用の金庫表示ＩＤを設定しても良い。例えば、重複しない６〜７桁の数字ないしは英数字にて金庫表示ＩＤとする。２〜３桁の英字で顧客を区別し、下４桁でカセット２２あるいはバッグ８０を区別すれば、およそカバーすることができる。また、これに限らず、例えば、表示用の金庫表示ＩＤを、視認上は顧客先である例えばスーパー名や店舗名表記の漢字やひらがなや英字等をそのまま使用しつつ、データ上は汎用的なアスキーコード等に変換して使用し、これらの金庫表示ＩＤと金庫ＩＤを関連付けて記憶することで、ＩＣタグ２８でのチェックは金庫ＩＤで行い、目視チェックする場合には、金庫表示ＩＤで行うようにすると利便性が高まって良い。
【００９８】
実施形態の第１の態様は、売上金が納金される納金機と、納金機に装填されて該納金機に納金された売上金を収納するカセットとを有し、カセットは、当該カセットの所有扱いが顧客専用か否かに係る情報を含む記憶データを記憶したＩＣタグを備え、納金機は、装填されたカセットのＩＣタグから記憶データを読み出す納金機ＩＣタグリーダを備え、納金機ＩＣタグリーダで読み出した記憶データからカセットの所有扱いが顧客専用であった場合に、当該記憶データに含まれる顧客識別データと、当該納金機に記憶されている顧客識別データとが、一致の場合は適正装填と判定し、不一致の場合は誤装填と判定するとともに、装填されたカセットのＩＣタグから納金機ＩＣタグリーダで読み出した記憶データから当該カセットの所有扱いが顧客専用であった場合に、当該記憶データに含まれるカセット識別データと、当該カセット交換直前に装填されていたカセットのカセット識別データとが、不一致の場合は適正装填と判定し、一致の場合は誤装填と判定することを特徴とする。
【００９９】
上記第１の態様によれば、納金機は、納金機ＩＣタグリーダが、装填されたカセットのＩＣタグから記憶データを読み出すと、この記憶データから当該カセットの所有扱いが顧客専用であった場合に、当該記憶データに含まれる顧客識別データと、当該納金機に記憶されている顧客識別データとが、一致の場合は適正装填と判定し、不一致の場合は誤装填と判定する。これにより、回収員が、納金機に対応する顧客専用の所定のカセットとは異なるカセットを納金機に誤って装填してしまってもこれを検出することができる。よって、誤装填と判定の場合、例えば、その旨の警告報知を行うことにより、回収員の誤装填を防止することができる。
【０１００】
上記第１の態様によれば、納金機は、装填されたカセットのＩＣタグから納金機ＩＣタグリーダで読み出した記憶データから当該カセットの所有扱いが顧客専用であった場合に、当該記憶データに含まれるカセット識別データと、当該カセット交換直前に装填されていたカセットのカセット識別データとが、不一致の場合は、交換前に装填されていたカセットと交換後のカセットとが異なることから、適正装填と判定し、一致の場合は、交換前に装填されていたカセットと交換後のカセットとが同じため、交換ミスによる回収忘れの誤装填と判定する。よって、誤装填と判定の場合、例えば、その旨の警告報知を行うことにより、回収員の誤装填を防止することができる。
【０１０１】
実施形態の第２の態様は、第１の態様において、納金機とネットワークで通信可能に接続され、カセットに収納された売上金を精査する精査機を有し、納金機は、装填された複数のカセットのカセット識別データを関連付けて精査機に通知可能であり、精査機は、カセットのＩＣタグから記憶データを読み出す精査機ＩＣタグリーダを備え、精査機ＩＣタグリーダで読み出した記憶データに含まれるカセット識別データと関連付けられた複数のカセットのカセット識別データを関連付けて表示することを特徴とする。
【０１０２】
上記第２の態様によれば、納金機は、装填された複数のカセットのカセット識別データを関連付けて精査機に通知することになり、精査機は、精査機ＩＣタグリーダで読み出した記憶データに含まれるカセット識別データと関連付けられた複数のカセットのカセット識別データを関連付けて表示して精査作業者に案内する。よって、一の納金機に対し複数のカセット交換を行った場合でも、当該一の納金機から回収された、売上金が収納された複数のカセットを関連付けて精査処理することが可能となる。
【０１０３】
実施形態の第３の態様は、第２の態様において、納金機は、装填された複数のカセットのカセット識別データおよび収納貨幣データを関連付けて精査機に通知可能であり、精査機は、精査機ＩＣタグリーダで読み出した記憶データに含まれるカセット識別データと関連付けられた複数のカセットの収納貨幣データと、当該複数のカセットのカセット識別データと関連して精査計数した計数貨幣データとの一致を、カセット毎に確認することを特徴とする。
【０１０４】
上記第３の態様によれば、納金機は、装填された複数のカセットのカセット識別データおよび収納貨幣データを関連付けて精査機に通知する。一方で、精査機は、精査機ＩＣタグリーダで読み出した記憶データに含まれるカセット識別データと関連付けられた複数のカセットの収納貨幣データと、当該複数のカセットのカセット識別データと関連して精査計数した計数貨幣データとの一致を、カセット毎に確認する。よって、カセット毎に精査を行うことができるので、売上金に精査不一致が発生しても、不整合のカセットを特定できる。
【０１０５】
実施形態の第４の態様は、売上金が納金される納金機と、納金機に装填されて該納金機に納金された売上金を収納するカセットとを有し、カセットは、当該カセットの所有扱いが顧客専用か否かに係る情報を含む記憶データを記憶したＩＣタグを備え、納金機は、装填されたカセットのＩＣタグから記憶データを読み出す納金機ＩＣタグリーダと、装填されたカセットのＩＣタグの記憶データを更新可能な納金機ＩＣタグライタとを備え、納金機ＩＣタグリーダで読み出した記憶データからカセットの所有扱いが顧客専用であった場合に、当該記憶データに含まれる顧客識別データと、当該納金機に記憶されている顧客識別データとが、一致の場合は適正装填と判定し、不一致の場合は誤装填と判定するとともに、装填されたカセットのＩＣタグから納金機ＩＣタグリーダで読み出した記憶データから当該カセットの所有扱いが顧客専用では無く共用扱いであった場合に適正装填と判定し、当該カセットの所有扱いが顧客専用であった場合に、当該記憶データに含まれるカセット識別データと、当該カセット交換直前に装填されたカセットのカセット識別データとが、不一致の場合は適正装填と判定し、一致の場合は誤装填と判定することを特徴とする。
【０１０６】
上記第４の態様によれば、納金機は、納金機ＩＣタグリーダが、装填されたカセットのＩＣタグから記憶データを読み出すと、この記憶データから当該カセットの所有扱いが顧客専用であった場合に、当該記憶データに含まれる顧客識別データと、当該納金機に記憶されている顧客識別データとが、一致の場合は適正装填と判定し、不一致の場合は誤装填と判定する。これにより、回収員が、納金機に対応する顧客専用の所定のカセットとは異なるカセットを納金機に誤って装填してしまってもこれを検出することができる。よって、誤装填と判定の場合、例えば、その旨の警告報知を行うことにより、回収員の誤装填を防止することができる。
【０１０７】
上記第４の態様によれば、納金機は、装填されたカセットのＩＣタグから納金機ＩＣタグリーダで読み出した記憶データから当該カセットの所有扱いが共用扱いであった場合に、適正装填と判定する。また、装填されたカセットのＩＣタグから納金機ＩＣタグリーダで読み出した記憶データから当該カセットの所有扱いが顧客専用であった場合に、当該記憶データに含まれるカセット識別データと、当該カセット交換直前に装填されていたカセットのカセット識別データとが、不一致の場合は、交換前に装填されていたカセットと交換後のカセットとが異なることから、適正装填と判定し、一致の場合は、交換前に装填されていたカセットと交換後のカセットとが同じため、交換ミスによる回収忘れの誤装填と判定する。よって、誤装填と判定の場合、例えば、その旨警告報知を行うことにより、回収員の誤装填を防止することができる。
【０１０８】
実施形態の第５の態様は、第４の態様において、納金機は、装填されたカセットのＩＣタグから納金機ＩＣタグリーダで読み出した記憶データから当該カセットの所有扱いが顧客専用では無く共用扱いであった場合には、当該納金機に記憶された顧客識別データを納金機ＩＣタグライタによって、装填されたカセットのＩＣタグに記憶データとして書き込むことを特徴とする。
【０１０９】
上記第５の態様によれば、納金機は、装填されたカセットのＩＣタグから納金機ＩＣタグリーダで読み出した記憶データから当該カセットの所有扱いが顧客専用では無く共用扱いであった場合には、当該納金機に記憶された顧客識別データを納金機ＩＣタグライタによって、装填されたカセットのＩＣタグに記憶データとして書き込む。よって、納金機は、自身に記憶された所定の契約先に係る顧客識別データを共用扱いのカセットに書き込んで、自身に記憶された所定の契約先と関連付けることができる。
【０１１０】
実施形態の第６の態様は、売上金が納金される納金機と、納金機に装填されて該納金機に納金された売上金を収納するカセットとを有し、カセットは、当該カセットの所有扱いが顧客専用か否かに係る情報を含む記憶データを記憶したＩＣタグを備え、納金機は、装填されたカセットのＩＣタグから記憶データを読み出す納金機ＩＣタグリーダと、装填されたカセットのＩＣタグの記憶データを更新可能な納金機ＩＣタグライタとを備え、納金機ＩＣタグリーダで読み出した記憶データからカセットの所有扱いが顧客専用であった場合に、当該記憶データに含まれる顧客識別データと、当該納金機に記憶されている顧客識別データとが、一致の場合は適正装填と判定し、不一致の場合は誤装填と判定するとともに、装填されたカセットのＩＣタグから納金機ＩＣタグリーダで読み出した記憶データから当該カセットの所有扱いが顧客専用では無く共用扱いであった場合には、当該納金機に記憶された顧客識別データを納金機ＩＣタグライタによって、装填されたカセットのＩＣタグに記憶データとして書き込むことを特徴とする。
【０１１１】
上記第６の態様によれば、納金機は、装填されたカセットのＩＣタグから納金機ＩＣタグリーダで読み出した記憶データから当該カセットの所有扱いが顧客専用では無く共用扱いであった場合には、当該納金機に記憶された顧客識別データを納金機ＩＣタグライタによって、装填されたカセットのＩＣタグに記憶データとして書き込む。よって、納金機は、自身に記憶された所定の契約先に係る顧客識別データを共用扱いのカセットに書き込んで、自身に記憶された所定の契約先と関連付けることができる。
【０１１２】
実施形態の第７の態様は、第４乃至第６のいずれか一の態様において、納金機とネットワークで通信可能に接続され、カセットに収納された売上金を精査する精査機を有し、納金機は、装填された複数のカセットのカセット識別データを関連付けて精査機に通知するとともに、当該複数のカセットそれぞれのＩＣタグにカセット識別データを他のカセットのカセット識別データと関連付けてＩＣタグライタによって記憶データとして書き込み、精査機は、カセットのＩＣタグから記憶データを読み出す精査機ＩＣタグリーダを備え、精査機ＩＣタグリーダで読み出した記憶データに含まれるカセット識別データと関連付けられた複数のカセットのカセット識別データを関連付けて表示することを特徴とする。
【０１１３】
上記第７の態様によれば、納金機は、装填された複数のカセットのカセット識別データを関連付けて精査機に通知するとともに、当該装填された複数のカセットそれぞれのＩＣタグにカセット識別データを他のカセットのカセット識別データと関連付けて納金機ＩＣタグライタによって記憶データとして書き込む。精査機は、精査機ＩＣタグリーダで読み出した記憶データに含まれるカセット識別データと関連付けられた複数のカセットのカセット識別データを関連付けて表示して精査作業者に案内する。よって、一の納金機に対し複数のカセット交換を行った場合でも、当該一の納金機から回収された、売上金が収納された複数のカセットを関連付けて精査処理することが可能となる。
【０１１４】
実施形態の第８の態様は、第４乃至第７のいずれか一の態様において、納金機とネットワークで通信可能に接続され、カセットに収納された売上金を精査する精査機を有し、納金機は、装填された複数のカセットのカセット識別データおよび収納貨幣データを関連付けて精査機に通知するとともに、当該複数のカセットそれぞれのＩＣタグにカセット識別データを他のカセットのカセット識別データと関連付けてＩＣタグライタによって書き込み、精査機は、カセットのＩＣタグから記憶データを読み出す精査機ＩＣタグリーダを備え、精査機ＩＣタグリーダで読み出した記憶データに含まれるカセット識別データと関連付けられた複数のカセットの収納貨幣データと、当該複数のカセットのカセット識別データと関連して精査計数した計数貨幣データとの一致を、カセット毎に確認することを特徴とする。
【０１１５】
上記第８の態様によれば、納金機は、装填された複数のカセットのカセット識別データおよび収納貨幣データを関連付けて精査機に通知する。一方で、精査機は、精査機ＩＣタグリーダで読み出した記憶データに含まれるカセット識別データと関連付けられた複数のカセットの収納貨幣データと、当該複数のカセットのカセット識別データと関連して精査計数した計数貨幣データとの一致を、カセット毎に確認する。よって、カセット毎に精査を行うことができるので、売上金に精査不一致が発生しても、不整合のカセットを特定できる。
【０１１６】
実施形態の第９の態様は、第１乃至第８のいずれか一の態様において、ＩＣタグを備え、売上金を収納する複数の収納容器と、収納容器のＩＣタグの記憶データを更新可能な管理機ＩＣタグライタを有する売上金管理機と、収納容器に収納された売上金を精査すると共に収納容器のＩＣタグから記憶データを読み出す精査機ＩＣタグリーダを有する精査機とを備え、売上金管理機が、売上金を収納する複数の収納容器のそれぞれのＩＣタグに収納容器識別データを他の収納容器の収納容器識別データと関連付けて管理機ＩＣタグライタによって書き込み、精査機は、精査機ＩＣタグリーダで読み出した記憶データに含まれる収納容器識別データと関連付けられた複数の収納容器の収納容器識別データを関連付けて表示することを特徴とする。
【０１１７】
上記第９の態様によれば、売上金管理機が、売上金を収納する複数の収納容器の収納容器識別データを関連付けて、当該複数の収納容器のそれぞれのＩＣタグに管理機ＩＣタグライタによって書き込む。精査機は、精査機ＩＣタグリーダで収納容器のＩＣタグから読み出した記憶データに含まれる収納容器識別データと関連付けられた複数の収納容器の収納容器識別データを関連付けて表示して精査作業者に案内する。よって、複数の収納容器で回収を行った場合でも、売上金が収納された複数の収納容器を関連付けて精査処理することが可能となる。
【０１１８】
実施形態の第１０の態様は、第１乃至第９のいずれか一の態様において、ＩＣタグを備え、売上金を収納する複数の収納容器と、収納容器のＩＣタグの記憶データを更新可能な管理機ＩＣタグライタを有する売上金管理機と、収納容器に収納された売上金を精査すると共に収納容器のＩＣタグから記憶データを読み出す精査機ＩＣタグリーダを有する精査機とを備え、売上金管理機が、売上金を収納する複数の収納容器の収納容器識別データと収納貨幣データとを関連付けて、当該複数の収納容器のそれぞれのＩＣタグに管理機ＩＣタグライタによって書き込み、精査機は、精査機ＩＣタグリーダで読み出した記憶データに含まれる収納容器識別データと関連付けられた複数の収納容器の収納貨幣データと、当該複数の収納容器の収納容器識別データと関連して精査計数した計数貨幣データとの一致を、収納容器毎に確認することを特徴とする。
【０１１９】
上記第１０の態様によれば、売上金管理機が、売上金を収納する複数の収納容器の収納容器識別データと収納貨幣データとを関連付けて、当該複数の収納容器のそれぞれのＩＣタグに管理機ＩＣタグライタによって書き込む。精査機は、精査機ＩＣタグリーダで収納容器のＩＣタグから読み出した記憶データに含まれる収納容器識別データと関連付けられた複数の収納容器の収納貨幣データと、当該複数の収納容器の収納容器識別データと関連して精査計数した計数貨幣データとの一致を、収納容器毎に確認する。よって、収納容器毎に精査を行うことができるので、売上金に精査不一致が発生しても、不整合の収納容器を特定できる。
【符号の説明】
【０１２０】
１１  売上金回収システム
２１  納金機
２２  カセット
２４  精査機
２８  ＩＣタグ
３１  納金機ＩＣタグリーダ
４１  精査機ＩＣタグリーダ
５１  納金機ＩＣタグライタ
７１  売上金管理機７１
７２  管理機ＩＣタグリーダライタ（管理機ＩＣタグライタ）
８０  バッグ（収納容器）
Ｃ  ネットワーク
【図１】
2020109696.tif 000003
【図２】
2020109696.tif 000004
【図３】
2020109696.tif 000005
【図４】
2020109696.tif 000006
【図５】
2020109696.tif 000007
【図６】
2020109696.tif 000008
【図７】
2020109696.tif 000009
【図８】
2020109696.tif 000010
【図９】
2020109696.tif 000011
【図１０】
2020109696.tif 000012